(57)【特許請求の範囲】
【請求項１】
電源が遮断されたときに遊技状態が記憶され、電源が再投入されたときに遊技状態が復元されるバックアップ手段を備えた遊技機において、
前記バックアップ手段は、基台とケース体とからなる基板ボックスに収容される基板と、前記基板に設けられバックアップの要否を押圧の有無によって選択し得るバックアップ要否選択スイッチと、前記基台と前記ケース体とを組付けると共に前記バックアップ要否選択スイッチを押圧する際に該バックアップ要否選択スイッチ上に位置するようにした係止部材とからなり、
前記係止部材は、前記バックアップ要否選択スイッチを押圧しない第一の係止状態と、前記バックアップ要否選択スイッチを押圧する第二の係止状態とに変更可能としつつ、前記基台と前記ケース体とを組付け得るようにしたことを特徴とする遊技機。
【請求項２】
前記係止部材は弾性係止片と係合部とからなり、該弾性係止片に複数の係止部を設けたことを特徴とする請求項１記載の遊技機。
【請求項３】
前記係止部材は弾性係止片と複数の係合部とからなることを特徴とする請求項１記載の遊技機。
【請求項４】
前記係止部材は可動自在な係合部材を備えたことを特徴とする請求項１記載の遊技機。
【発明の詳細な説明】
【０００１】
【発明の属する技術分野】
本発明は、電源が遮断されたときに遊技状態が記憶され、電源が再投入されたときに遊技状態が復元されるバックアップ手段を備えた遊技機に関するものである。
【０００２】
【従来の技術】
周知のように、遊技機における遊技制御回路（主基板）および球払出制御回路（賞球制御基板）には、従来からバックアップ手段が設けられ、停電時のように電源が突然遮断されたときに、その遊技機の遊技状態が記憶され、電源が再投入されたときに電源遮断前の遊技状態が復元されることで、未払いの景品球を払出し動作したり、大当たり中であるときはその状態を維持させたり、高確率設定、或いは低確率設定であるときはその状態を維持したりすることで、停電発生に伴う遊技客とのトラブルが生じないようにしている。
【０００３】
また、上記基板を基台とケース体とに収容した基板ボックスは様々な係止手段により組付けられている。
【０００４】
【発明が解決しようとする課題】
しかしながら、従来の遊技機は遊技場が一日の営業を終えて電源を遮断したときもこのバックアップ手段が作動するため、次の営業日に電源を入れたときに各遊技機は前の営業日の遊技状態に自動的に復元されてしまうという問題があった。
【０００５】
そこで本発明は、従来技術の有する問題点に鑑みてなされたものであり、電源が再投入されたときに電源遮断前の遊技状態を復元するかどうかを選択し得るバックアップ要否選択スイッチを設けると共に、基板ボックスの係止部材によってバックアップ要否選択スイッチを切替えることができる機能的な遊技機を提供するものである。
【０００６】
【課題を解決するための手段】
上記目的を達成するために、請求項１記載の発明は、電源が遮断されたときに遊技状態が記憶され、電源が再投入されたときに遊技状態が復元されるバックアップ手段を備えた遊技機において、前記バックアップ手段は、基台とケース体とからなる基板ボックスに収容される基板と、前記基板に設けられバックアップの要否を押圧の有無によって選択し得るバックアップ要否選択スイッチと、前記基台と前記ケース体とを組付けると共に前記バックアップ要否選択スイッチを押圧する際に該バックアップ要否選択スイッチ上に位置するようにした係止部材とからなり、
前記係止部材は、前記バックアップ要否選択スイッチを押圧しない第一の係止状態と、前記バックアップ要否選択スイッチを押圧する第二の係止状態とに変更可能としつつ、前記第１・第２のいずれの状態においても前記基台と前記ケース体とを組付け得るようにしたことを特徴とする。
【０００７】
請求項２記載の発明は、請求項１記載の発明において、前記係止部材は弾性係止片と係合部とからなり、該弾性係止片に複数の係止部を設けたことを特徴とする。
【０００８】
請求項３記載の発明は、請求項１記載の発明において、前記係止部材は弾性係止片と複数の係合部とからなることを特徴とする。
【０００９】
請求項４記載の発明は、請求項１記載の発明において、前記係止部材は可動自在な係合部材を備えたことを特徴とする。
【００１０】
また、前記バックアップ要否選択スイッチが押圧されたことを報知する報知手段を設けるのが好ましい。
【００１１】
前記バックアップ要否選択スイッチは電源遮断時から計時開始されるタイマーによって所定時間が経過すると自動的にバックアップ不要に設定されるようにするのが好ましい。
【００１２】
さらに、バックアップ要否選択スイッチは毎日夜間の一定時刻に作動するタイマーによって自動的にバックアップ不要に設定されるようにするのが好ましい。
【００１３】
【発明の実施の形態】
次に図面に従い本発明の実施の形態を説明する。図１は本発明に係るパチンコ遊技機の裏面の概略図で、図中、１は遊技盤２の裏面に装着される機構板であり、該機構板１に球タンク３および球払出装置４が装着されている。５は遊技盤２に設けられた図柄変動表示器のカバー体であり、１４は発射装置である。また、機構板１および遊技盤２の裏面側に電源基板６，遊技制御回路が構成される主基板７，球払出制御回路が構成される球制御基板８，発射制御基板９，ランプ制御基板１０，音声制御基板１１，図柄表示制御基板１２，信号中継基板１３等各種基板が設けられている。
【００１４】
図２は上記したパチンコ遊技機の電源系統のブロック図である。同図に示したように、前記電源基板６は、電源スイッチ１５と、整流回路１６と、直流５Ｖ電源を得るためのＤＣ−ＡＣコンバータ１７と、直流１２Ｖ電源を得るためのＤＣ−ＡＣコンバータ１８と、直流３２Ｖ電源を得るための平滑回路１９と、例えば入力電圧が２０Ｖを下回る状態が５０ｍＳ以上続いた場合に作動する停電検出回路２０と、バックアップ用電池２１と、プッシュボタン型のバックアップ要否選択スイッチ２２を具備している。そして、該電源基板６から主基板７，賞球制御基板８，発射制御基板９，ランプ制御基板１０，音声制御基板１１，図柄表示制御基板１２には夫々その作動用電源および動力用電源を供給している。
【００１５】
また、主基板７には大当たり発生等の遊技を演出する遊技制御回路が設けられているとともに、バックアップ用ＲＡＭ２３が設けられ、停電検出回路２０から停電信号を受けたとき現時点の遊技状況、（即ち、大当たり中であるかどうか、高確率設定中であるかどうか等の遊技情報）を該バックアップ用ＲＡＭ２３に記憶し得るようにしている。また賞球制御基板８には遊技盤２面上の各入賞孔から受ける入賞信号を記憶して球払出装置４に景品球の払出しを指令するとともにその実際の払出しを確認する賞球制御回路が設けられているとともに、バックアップ用ＲＡＭ２４が設けられ、停電検出回路２０から停電信号を受けたとき現時点の未払い景品球数等の払出情報を該バックアップ用ＲＡＭ２４に記憶する。なお前記バックアップ用電池２１は該バックアップ用ＲＡＭ２３，２４に作動用電源を供給している。
【００１６】
そして、主基板７は電源が再投入され停電検出回路２０からリセット信号を受けると該バックアップ用ＲＡＭ２３に記憶されていた遊技情報に従い該遊技制御回路を継続作動させる。また、賞球制御基板８は電源が再投入され停電検出回路２０からリセット信号を受けると該バックアップ用ＲＡＭ２４に記憶されていた払出情報に従い該賞球制御回路を継続作動させる。なお、前記バックアップ要否選択スイッチ２２は常態ではプッシュボタン２５が突出したＯＦＦ状態にありバックアップ用ＲＡＭ２３，２４が作動するよう設定されている。
【００１７】
また、前記電源基板６は、図３ないし図５に示したように、基台３０ａとケース体３０ｂとに収容され基板ボックスＡとして取着部（本実施の形態において機構板１）に取着される。基台３０ａの一側に門型に形成された係止受部３１および係合部３５が設けられ、ケース体３０ｂには係止受部３１および係合部３５に係止する複数の係止部材を設けている。該係止部材は差込片３２および弾性係止片３４である。前記弾性係止片３４は、図５に示すようにバックアップ要否選択スイッチ２２の上方に位置し、該弾性係止片３４を押圧することでプッシュボタン２５が押圧されるように設けられている。また、弾性係止片３４の基部は肉盛して補強されており、先端の上下に係止部としての係止爪３３ａ，３３ｂを有すると共に、プッシュボタン２５に対応して該プッシュボタン２５より小径の透孔３７が穿設されている。３８は弾性係止片３４の下面に設けられた位置決め突起であり、前記係合部３５の凹部３９に嵌合し左右の位置ずれを防止する。なお、ケース体３０ｂの開口から電源スイッチ１５，バックアップ要否選択スイッチ２２および各種コネクタ４４が臨んでいる。４５はバックアップ要否選択スイッチ２２が押圧されバックアップ不要に設定されていることを報知するために報知手段としてランプである。
【００１８】
上記構成の基板ボックスＡの組付けは、図５および図６に示すように電源基板６をビス着したケース体３０ｂの差込片３２を基台３０ａの係止受部３１に差込係止すると共に弾性係止片３４を係合部３５に係止して組付けられ、さらに他側をビス着することで確実に固着される。この際、図６に示すように該弾性係止片３４を係止爪３３ｂにより係合部３５の上方で係止した場合は、プッシュボタン２５は押圧されることなく、同図鎖線に示すように弾性係止片３４を係止爪３３ａにより係合部３５の下方で係止した場合は、プッシュボタン２５が押圧された状態となる。
【００１９】
上記基板ボックスＡはビス着等の適宜手段により機構板１に取着され、コネクタ４４に配線を接続することで基板ボックスＡが機能する。そして、前記弾性係止片３４を係合部３５の上方で係止した場合は、電源が再投入された際にバックアップ用ＲＡＭ２３，２４が作動するようになり、弾性係止片３４を係合部３５の下方で係止した場合は、バックアップ要否選択スイッチ２２がバックアップ不要に設定され、電源が再投入された際に該スイッチ２２からメモリクリア信号が出力されバックアップ用ＲＡＭ２３，２４の記憶がクリアされることから、初期状態で遊技が開始できるようになる。
【００２０】
このため、遊技場は各パチンコ遊技機の基板ボックスＡの弾性係止片３４を係合部３５の下方で係止しておけば、前の営業日の遊技状態に復元することなく、全ての台が初期状態となってその点での有利，不利が生じることのないようにすることができる。また、必要に応じては弾性係止片３４を係合部３５の上方で係止しておけば、バックアップが可能となる。そして、弾性係止片３４の係止位置によりその設定状況を容易に視認し確かめることができる。
【００２１】
さらに確認しやすくするために、例えば係合部３５に「赤」、弾性係止片３４に「白」というように着色を施すことにより、赤が視認可能であればバックアップが可能であり、白が視認可能であれば初期状態で遊技が可能であることが一目瞭然となる。
【００２２】
また、プッシュボタン２５が押圧され、該バックアップ要否選択スイッチ２２がバックアップ不要に設定されていると、プッシュボタン２５が押圧されたことが検知され報知手段としてランプ４５が点灯し、バックアップ要否選択スイッチ２２がバックアップ不要に設定されていることを報知表示する。そして、このバックアップ不要状態報知信号を制御回路より遊技場の集中管理室に遊技情報とともに発信できるようにしてもよい。
【００２３】
なお、このようなバックアップ不要状態報知手段は、スピーカーから「バックアップ不要状態です」と音声を発生させたりしてもよく、さらに報知手段としてランプ４４を基板ボックスＡに設けることのほか、取着部としての機構板１に設けたり遊技機の前面側の遊技盤上に設けられた装飾ランプや図柄変動表示装置、上皿前面のセグメント表示装置、呼び出しランプ、球貸出機に設けられたメッセージ表示装置等いずれに設けてもよく、また既存のランプ等を利用してその点滅状況等によりバックアップ不要状態が判るようにしてもよい。また、さらに判り易くするため「バックアップ不要状態」などと書かれたシールを張り付けても、前記表示装置に文字表示をさせてもよい。
【００２４】
このように遊技機の前面側に報知手段を設けることで、遊技店の従業員はどの遊技台がバックアップ不要状態かが知り易くなりなり、従って、このランプの点灯状況を知ってセットし忘れ等をなくすことができる。また、バックアップ不要状態を一定時間（例えば１分間）報知した後にバックアップ不要状態報知手段がＯＦＦするようにタイマーを設けてもよい。
【００２５】
また、前記弾性係止片３４がバックアップ要否選択スイッチ２２の上方に位置して設けられるため、バックアップ要否選択スイッチ２２を保護することができ、無用にプッシュボタン２５が押されることがない。また、弾性係止片３４を係合部３５の上方で係止してバックアップ可能状態であっても、透孔３７からピン等によりプッシュボタン２５を押圧してバックアップ不要に設定することが可能である。なお、基板ボックスＡの組付けに際し他側をビス止めとしたが係止片等により係止するようにしてもよい。
【００２６】
また、上記実施の形態において係止部材として差込片３２および弾性係止片３４を設けるようにしたが、図７に示すように弾性係止片３４に対する係合部３５に上下に高さを違えて複数の係合部３５ａ，３５ｂを設けるようにしてもよく、同図実線に示すように上係合部３５ａに係止爪３３を係止することでプッシュボタン２５を押圧することなくバックアップ可能状態とし、同図鎖線に示すように下係合部３５ｂに係止爪３３を係止することでプッシュボタン２５を押圧してバックアップ不要に設定できる。
【００２７】
また、図８に示すように基台３０ａにバックアップ要否選択スイッチ２２上面に臨む弾性係止片３４を設け、ケース体３０ｂに係合部３５を設けるようにして、該係合部３５の上面側と下面側で係止することによりバックアップの要否を設定するようにしてもよい。さらに、図９に示すように弾性係止片３４に対応してケース体３０ｂに複数の係合部３５ａ，３５ｂを上下に位置して設けるようにして、弾性係止片３４を係合部３５ａに係止してバックアップ要否選択スイッチ２２がバックアップ要に設定される第一の係止状態（同図実線）と弾性係止片３４を係合部３５ｂに係止して前記バックアップ要否選択スイッチ２２が押圧されバックアップ不要に設定される第二の係止状態（同図鎖線）とに係止変更できるようにしてもよい。
【００２８】
また、本実施の形態においては、バックアップ要否の設定の切替えは基板ボックスＡのケース体３０ｂを取外して弾性係止片３４を係止しなおさなければならないが、図１０に示すように弾性係止片３４の基部全体に弾性を付与することにより係止爪３３ｂで係止した第一係止状態を同図二点鎖線に示すように弾性係止片３４の基部全体の弾性により係合部３５との係合を外し、同図一点鎖線に示す係止爪３３ａを係合部３５に係止してバックアップ要否選択スイッチ２２が押圧されバックアップ不要に設定される第二の係止状態に切替えることができる。
【００２９】
図１１は弾性係止片３４に対応する係合部３５の係止板３５ｃを可動自在とした実施の形態を示し、設定の切替え時にケース体３０ｂを取着した図１１（イ）に示す状態で、弾性係止片３４の弾性付勢に抗して係止爪３３ｂ（係止爪３３ａ）の係合を外し、図１１（ロ）に示すように係止板３５ｃを回動して弾性係止片３４を切替えたい方向に撓ませ、図１１（ハ）に示すように再度係止板３５ｃを回動して係止爪３３ａ（係止爪３３ｂ）を係合させることでケース体３０ｂを取外すことなくバックアップ要否の設定切替え作業を簡単に行うことができる。なお、係止板３５ｃの先端には係合部３５の基台に係止するようにフック状になっている。
【００３０】
また、図１２および図１３は弾性係止片３４の上面に高さを違えて複数の係止爪３３ａ，３３ｂを設けた実施の形態を示し、係合部材４０を支軸４２に水平状に可動自在に設けている。この実施の形態は、図１２および図１３実線に示すように係合部材４０が係止爪３３ａに係止した第一の係止状態のときバックアップ要否選択スイッチ２２は押圧されず基板ボックスＡが組付けられ、操作摘み４１を操作して係合部材４０を図１２および図１３鎖線位置に回動して係止爪３３ｂに係止した第二の係止状態のときバックアップ要否選択スイッチ２２が弾性係止片３４により押圧された状態で基板ボックスＡが組付けられるようになる。
【００３１】
図１４はさらに他の実施の形態を示し、前記係合部材４０に高さを違えて複数の係合部４３ａ，４３ｂを設けている。この実施の形態は、図１４実線に示すように係合部材４０の第一係合部４３ａが係止部としての係止爪３３に係止した第一の係止状態のときバックアップ要否選択スイッチ２２は押圧されず、操作摘み４１を操作して係合部材４０を図１４鎖線位置に回動してテーパー面により弾性係止片３４を押圧しながら第二係合部４３ｂが係止爪３３に係止した第二の係止状態のときバックアップ要否選択スイッチ２２が押圧されるようになる。
【００３２】
また、図１５および図１６に示すように係合部材４０で直接バックアップ要否選択スイッチ２２を押圧するようにしてもよく、係合部材４０は下面に位置を違えて複数の係合部４３ａ，４３ｂを設け、係合部材４０下面始端をテーパー状にしてバックアップ要否選択スイッチ２２を押圧しやすいようにしている。そして、係合部材４０を図１５二点鎖線位置から同図実線位置に移動して図１６実線に示すように第一係合部４３ａがケース体３０ｂの係合部３５に係止してバックアップ要否選択スイッチ２２を押圧することなく覆い保護してケース体３０ｂを固着し、係合部材４０を図１５実線位置から同図一点鎖線位置に移動して図１６鎖線に示すように第二係合部４３ｂが係合部３５に係止して係合部材４０が直接バックアップ要否選択スイッチ２２を押圧するようにしている。このとき、係合部３５に弾性を付与するのが好ましい。なお、複数の係合部４３ａ，４３ｂは係合部材４０上面に設けるようにしてもよい。
【００３３】
また、図１７に示すように可動自在に設けた係合部材４０にスリットＳを設けて係合部４３に弾性を付与するようにして、バックアップ要否選択スイッチ２２を押圧することなく基板ボックスＡを組付ける第一係合部３５ａとバックアップ要否選択スイッチ２２を押圧すると共に基板ボックスＡを組付ける第二係合部３５ｂに係合しやすくしてもよい。また、これまで上述した可動自在に設けた係合部材４０は、実施の形態において回動自在としたが上下左右のスライド移動自在として係止部に係止するようにしてもよく、当然のことながらケース体３０ｂに係合部材４０を設けて、基台３０ａに設けた係止部に係止するようにしてもよい。
【００３４】
図１８はケース体３０ｂをスライドさせることで係止位置を変更するようにした実施の形態を示し、係合部３５に高さ位置を違えて第一係合部３５ａと第二係合部３５ｂとを設けている。そして、弾性係止片３４を第一係合部３５ａに係合する第一係止位置では同図実線に示すようにバックアップ要否選択スイッチ２２は押圧されず、同図鎖線に示すようにケース体３０ｂをスライドさせることで弾性係止片３４が撓みながら第二係合部３５ｂに係合してバックアップ要否選択スイッチ２２を押圧するようにしている。また、係合部３５に高さ位置を違えて第一係合部３５ａと第二係合部３５ｂとを設けるようにしたが、弾性係止片３４上部に高さ位置を違えて係止爪３３を設けるようにしてもよい。なお、ケース体３０ｂのスライド方向は上下左右または円弧状であってもよい。
【００３５】
さらに、図１９に示すように偏心円弧面を有するレバー部材４７によりケース体３０ｂをスライドさせるようにしてもよく、該レバー部材４７を回動することにより偏心円弧面でケース体３０ｂを押して弾性係止片３４を係合部３５に係止するようにしている。具体的にはレバー部材４７を同図二点鎖線位置でケース体３０ｂの左右の凹欠き４５を取着部のＬ型片４６に合致させ、レバー部材４７を同図実線位置に回動させＬ型片４６で係止すると共に弾性係止片３４の係止爪３３を第一係合部３５ａに係合させケース体３０ｂをバックアップ要否選択スイッチ２２が押圧されないバックアップ要に設定された状態で取着部１に取着できる。そして、さらにレバー部材４４を同図一点鎖線位置に回動させると、偏心円弧面でケース体３０ｂを押して弾性係止片３４の係止爪３３が第二係合部３５ｂに係合してバックアップ要否選択スイッチ２２を押圧してバックアップ不要に設定された状態で基台３０ａに組付けできる。なお、図上それぞれの係止状態を確認しやすくするために、レバー部材４４の偏心円弧面に凹部を形成し、ケース体３０ｂの凸部に簡易的に嵌合するようにしている。また、好ましくは基台３０ａおよびケース体３０ｂにどの位置が第一または第二係止位置かがわかるように黒三角等の目印を設けるのがよく、誤った設定位置で組付けることがなくなる。
【００３６】
なお、上記実施の形態において、基板６をケース体３０ｂに固着するようにしたが基台３０ａ側に固着するようにしてもよく、さらに基台３０ａおよびケース体３０ｂに一体に設けるようにした係止部材を別体に形成して、基板６を含め基台３０ａおよびケース体３０ｂ側のそれぞれに一体的に取付けるようにしてもよい。また、基板６に係止部材を設けるに際しバックアップ要否選択スイッチ２２近傍の電子部品を利用して設けたり直接電子部品に係止部材を設けたりしてもよい。
【００３７】
一方、図２０に示した実施形態は、前記バックアップ要否選択スイッチ２２にタイマー３６を設け、該タイマー３６は電源遮断時から例えば５時間を経過すると該バックアップ要否選択スイッチ２２が自動的にバックアップ不要に設定されるようにしたものである。このように、タイマー３６を設けた場合は、バックアップ要に設定される第一の係止状態であっても、一日の営業を終え電源が遮断されてから５時間以上経過した時点（次の営業日）で電源が再投入されると、バックアップされることなく自動的にパチンコ遊技機を初期状態に設定できる利点があるとともに、営業時間中に万一停電があった場合にはそのバックアップ機能を発揮され、一時的停電によるトラブル発生を防止することができる。
【００３８】
また、バックアップ要に設定されている基板ボックスを用いた遊技機であっても、停電が長時間にわたる場合は遊技者によって対応が異なる。そこで、遊技者が再開時まで待つ遊技機に対しては、タイマー設定を解除して電源復旧時に停電前の遊技状態から遊技を再開できるようにし、遊技者が帰り遊技を中止した遊技機に対しては、タイマー設定により所定時間後に初期化されるようにすることができる。このため、ホール側は、停電時ならびに復旧時の対応を遊技台毎に迅速に行うことができると共に、遊技者とのトラブルを回避することができる。
【００３９】
また、上記タイマーとしては、電源遮断時に関係なく例えば毎日午前３時にバックアップ要否選択スイッチを自動的にバックアップ不要に設定するものであってもよい。
【００４０】
なお、上記実施の形態においてバックアップ要否選択スイッチを電源基板に設けるようにしたが、特に限定されるものではなく、主基板，賞球制御基板等に設けるようにしてもよく、さらにプッシュボタン２５を基板に対して直交するように設けたが、プッシュボタン２５が基板に対して水平方向に出没するように設けるようにしてもよく、それに伴い係止部材の設置方向を変更させるようにすればよい。また、基板ボックスの取着部として機構板としたが、前面枠の裏面および入賞球集合カバー，役物カバー等に取着するようにしてもよい。
【００４１】
また、本発明はパチンコ遊技機に限らず、メダルを使用する回胴式遊技機（スロット）、パチンコ球を使用する回胴式遊技機（パチロット）等の他のバックアップ要否選択スイッチを備えた遊技機にも使用できることは言うまでもない。
【００４２】
【発明の効果】
以上説明したように本発明では、電源が遮断されたときに遊技状態が記憶され、電源が再投入されたときに電源遮断前の遊技状態を復元するかどうかを選択し得るバックアップ要否選択スイッチを設けると共に、該バックアップ要否選択スイッチを取着した基板ボックスを組付る係止部材を第一の係止状態と第二の係止状態とに係止変更することにより、バックアップ要否選択スイッチの要否設定を簡単に行えることができ、遊技台毎の設定も簡単に変更することができる。
【図面の簡単な説明】
【図１】本発明の実施形態を示す遊技機の裏面図である。
【図２】本発明の実施形態を示す遊技機のブロック図である。
【図３】本発明の実施形態を示す基板ボックスの斜視図である。
【図４】図３の基板ボックスの分解斜視図である。
【図５】図３の基板ボックスの縦断面図である。
【図６】基板ボックスの組付状態を示す要部断面図である。
【図７】他の実施の形態の組付状態を示す要部断面図である。
【図８】他の実施の形態の組付状態を示す要部断面図である。
【図９】他の実施の形態の組付状態を示す要部断面図である。
【図１０】他の実施の形態の組付状態を示す要部断面図である。
【図１１】（イ）〜（ハ）は他の実施の形態の作用説明図である。
【図１２】他の実施の形態の組付状態を示す要部平面図である。
【図１３】図１２の側断面図である。
【図１４】他の実施の形態の組付状態を示す要部断面図である。
【図１５】他の実施の形態の組付状態を示す要部平面図である。
【図１６】図１５の側断面図である。
【図１７】係合部材に弾性を付与した実施の形態の側断面図である。
【図１８】他の実施の形態の組付状態を示す要部平面図である。
【図１９】他の実施の形態の基板ケースの組付状態を示す平面図である。
【図２０】本発明の他の実施形態を示すパチンコ遊技機のブロック図である。
【符号の説明】
６                  電源基板（基板）
７                  主基板
８                  賞球制御基板
１５                電源スイッチ
２０                停電検出回路
２１                バックアップ用電池
２２                バックアップ要否選択スイッチ
２３，２４          バックアップ用ＲＡＭ
２５                プッシュボタン
３０ａ              ケース体
３０ｂ              基台
３１                係止受部
３２                差込片
３３                係止爪（係止部）
３３ａ，３３ｂ      係止爪（係止部）
３４                弾性係止片（係止部材）
３５                係合部（係止部材）
３５ａ，３５ｂ      係合部（係止部材）
３５ｃ              係止板（係止部材）
３６                タイマー
４０                係合部材（係止部材）
４３ａ，４３ｂ      係合部（係止部材）
Ａ                  基板ボックス
【図１】
0003547717.tif 000002
【図２】
0003547717.tif 000003
【図３】
0003547717.tif 000004
【図４】
0003547717.tif 000005
【図５】
0003547717.tif 000006
【図６】
0003547717.tif 000007
【図７】
0003547717.tif 000008
【図８】
0003547717.tif 000009
【図９】
0003547717.tif 000010
【図１０】
0003547717.tif 000011
【図１１】
0003547717.tif 000012
【図１２】
0003547717.tif 000013
【図１３】
0003547717.tif 000014
【図１４】
0003547717.tif 000015
【図１５】
0003547717.tif 000016
【図１６】
0003547717.tif 000017
【図１７】
0003547717.tif 000018
【図１８】
0003547717.tif 000019
【図１９】
0003547717.tif 000020
【図２０】
0003547717.tif 000021